(57)【特許請求の範囲】
【請求項１】
法面、壁面、岸面等の保護緑化対象面の前方に敷設された強化シートと、該強化シート上に盛られた充填材とにより一段が構成され、該段が下から上へと積まれることにより多段に構築された法面、壁面、岸面等の保護緑化構造において、前記強化シートの前端側及び後端側の両方に保護緑化対象面の幅方向に延びる掛止体が係着され、該掛止体が強化シートの前端側及び後端側の両方に位置する充填材に埋設状態で面当たりして掛止することを特徴とする法面、壁面、岸面等の保護緑化構造。
【請求項２】
前記段は、鉄筋格子製の傾斜した前壁部と水平な底壁部とからなる格子枠柵を備え、該格子枠柵は法面、壁面、岸面等の保護緑化対象面の前方に設置され、前記充填材は該格子枠柵と保護緑化対象面との間に充填された請求項１記載の法面、壁面、岸面等の保護緑化構造。
【請求項３】
前記強化シートは、ジオテキスタイル、押出された樹脂ストランドを網目状に融着させてなるジオネット、又は、孔あき樹脂シートを延伸成形してなるジオグリッドである請求項１又は２記載の法面、壁面、岸面等の保護緑化構造。
【請求項４】
前記掛止体は、前記強化シートの前端部又は後端部が折り返され該掛止体に被せられることにより前記強化シートに係着された請求項１〜３のいずれか一項に記載の法面、壁面、岸面等の保護緑化構造。
【請求項５】
前記掛止体は、前記強化シートが該掛止体ごとさらに折り返されることにより前記強化シートに係着された請求項４記載の法面、壁面、岸面等の保護緑化構造。
【請求項６】
前記強化シートの折り返されて多重になった部分に前記掛止体に寄せて別の掛止体を設けた請求項４又は５記載の法面、壁面、岸面等の保護緑化構造。
【請求項７】
前記掛止体は、前記強化シートが該掛止体に巻き付けられることにより前記強化シートに係着された請求項１〜３のいずれか一項に記載の法面、壁面、岸面等の保護緑化構造。
【請求項８】
前記強化シートには両端の閉じた複数本の切り込みが並列形成され、前記掛止体は、前記複数本の切り込みに挿通されることにより前記強化シートに係着された請求項１〜３のいずれか一項に記載の法面、壁面、岸面等の保護緑化構造。
【請求項９】
前記掛止体は、前記強化シートが該掛止体ごと折り返されることにより前記強化シートに係着された請求項８記載の法面、壁面、岸面等の保護緑化構造。
【請求項１０】
前記掛止体は、保護緑化対象面の高さ方向に延びる係止部材により前記強化シートに係着された請求項１〜９のいずれか一項に記載の法面、壁面、岸面等の保護緑化構造。
【請求項１１】
前記強化シートの前端側及び後端側は、保護緑化対象面の高さ方向に延びる係止部材により前記充填材に係止された請求項１〜１０のいずれか一項に記載の法面、壁面、岸面等の保護緑化構造。
【請求項１２】
前記強化シートの前端側は、保護緑化対象面の高さ方向に延びる係止部材により前記格子枠柵の底壁部に係止された請求項２〜１０のいずれか一項に記載の法面、壁面、岸面等の保護緑化構造。
【請求項１３】
前記掛止体は、長手剛体である請求項１〜１２のいずれか一項に記載の法面、壁面、岸面等の保護緑化構造。
【請求項１４】
前記長手剛体は中実棒である請求項１３記載の法面、壁面、岸面等の保護緑化構造。
【請求項１５】
前記中実棒は間伐材である請求項１４記載の法面、壁面、岸面等の保護緑化構造。
【請求項１６】
前記長手剛体は中空パイプである請求項１３記載の法面、壁面、岸面等の保護緑化構造。
【請求項１７】
前記中空パイプはその内壁面と外壁面とを連通する連通穴を備えた排水性パイプである請求項１６記載の法面、壁面、岸面等の保護緑化構造。
【請求項１８】
前記掛止体は、前記保護緑化対象面の幅方向に延びる２本の横辺部と、該横辺部間を連結する連結部とを備えた枠状体である請求項１〜１２のいずれか一項に記載の法面、壁面、岸面等の保護緑化構造。
【請求項１９】
前記格子枠柵の前壁部の前側、後側又は前後両側に植生土嚢を添設した請求項２〜１８のいずれか一項に記載の法面、壁面、岸面等の保護緑化構造。
【請求項２０】
前記植生土嚢と前記充填材との間であって前記前壁部の後側に、水の流通を止める止水部材が介在された請求項１９記載の岸面の保護緑化構造。
【請求項２１】
前記格子枠柵の前壁部の前側、後側又は前後両側に添設されて前記充填材及び岸面の流水による洗掘を防ぐ洗掘防止部材を備えた請求項２〜２０のいずれか一項に記載の岸面の保護緑化構造。
【請求項２２】
筒壁、半割筒壁又はチャンネル壁を有し、その一端側が略尖形に形成された植生部材を、法面の前記充填材に装着し又は法面の前記強化シートの上若しくは下に設置し又は法面の前記強化シートを貫通させて設置し、前記植生部材の内部又は近傍に緑化用植物の種、苗又は挿し木を植え付け又は植栽した請求項１〜２１のいずれか一項に記載の法面、壁面、岸面等の保護緑化構造。
【請求項２３】
前記筒壁、半割筒壁又はチャンネル壁に複数の透孔が形成された請求項２２記載の法面、壁面、岸面等の保護緑化構造。
【請求項２４】
前記筒壁、半割筒壁又はチャンネル壁が土中で次第に崩壊する材料により形成された請求項２２記載の法面、壁面、岸面等の保護緑化構造。
【請求項２５】
法面、壁面、岸面等の保護緑化対象面の前方に敷設された強化シートと、該強化シート上に盛られた充填材とにより一段が構成され、該段が下から上へと積まれることにより多段に構築された法面、壁面、岸面等の保護緑化構造において、前記強化シートに、保護緑化対象面の幅方向に延びる２本の横辺部と、該横辺部間を連結する連結部とを備えた、掛止体としての枠状体を係着したことを特徴とする法面、壁面、岸面等の保護緑化構造。
【発明の詳細な説明】
【０００１】
【発明の属する技術分野】
本発明は、法面、壁面、岸面等の緑化構造に関するものである。
【０００２】
【従来の技術及び発明が解決しようとする課題】
岩盤法面、コンクリート・モルタル吹付法面、擁壁やダム等のコンクリート構造物の壁面等は、景観保全上の問題が多いため、植生による保護・緑化の導入が考えられている。特開平４−２１３６２５号公報には、鉄筋格子製の傾斜した前壁部と水平な底壁部とからなる格子枠柵を法面の前方に設置するとともに、格子枠柵の底壁部の下から法面の近くにまで略平らに強化シートを敷き、格子枠柵の前壁部の後面と底壁部の上面とに緑化用シートを敷き、格子枠柵と法面との間に充填材としての盛土材を充填し、これらの工程を下から上へ繰り返して多段に構築した法面の保護構造が開示されている。この保護構造は、急勾配でも施工でき、施工効率が良い等の優れた点を持っている。特に強化シートは、底壁部を越えて盛土材中に広がり、格子枠柵を盛土材に係留するとともに、盛土材を安定化させる作用を奏する。このため、底壁部を短くすることができ、格子枠柵の運搬が容易となる。
【０００３】
しかし、前記の通り、強化シートは底壁部の下から法面の近くにまで略平らに敷かれ、盛土材は該強化シートの上に載っていただけなので、強化シートと盛土材との一体性が必ずしも完全ではなかった。このため、施工後に土圧を受け続けると、強化シートが動かない場合でも、盛土材の一部は正面側にずれて動く可能性があり、この盛土材の動きにより多数の格子枠柵のうちの一部が正面側に押し出され、斜面の一部がいびつになることがあった。
【０００４】
また、特開平６−２９４１３２号公報には、盛土材の正面に形成された法面に、両端の開口した筒体に多数の透孔を形成してなる植生部材を装着した法面の保護緑化構造が開示されている。この植生部材の内部の土には、緑化用植物の種、苗又は挿し木が植え付けられ又は植栽されている。
【０００５】
しかし、この植生部材を装着するには、そのための穴を盛土材の正面に形成された法面に予め設けておく必要があり、保護緑化構造の構築作業に手間が掛かるという問題がある。
【０００６】
そこで、本発明の第一の目的は、強化シートと充填材との一体性を高めて、充填材を動かないように安定化させ、斜面の歪みを防止することができる法面、壁面、岸面等の保護緑化構造を提供することにある。
【０００７】
また、本発明の第二の目的は、保護緑化構造の構築作業の手間を省くことができる法面、壁面、岸面等の保護緑化構造又は植生部材を提供することにある。
【０００８】
【課題を解決するための手段】
上記目的を達成するために、本発明の法面、壁面、岸面等の保護緑化構造は、法面、壁面、岸面等の保護緑化対象面の前方に敷設された強化シートと、該強化シート上に盛られた充填材とにより一段が構成され、該段が下から上へと積まれることにより多段に構築された法面、壁面、岸面等の保護緑化構造において、前記強化シートの前端側及び後端側の両方に保護緑化対象面の幅方向に延びる掛止体が係着され、該掛止体が強化シートの前端側及び後端側の両方に位置する充填材に埋設状態で面当たりして掛止することを特徴としている。
【０００９】
前記段は、鉄筋格子製の傾斜した前壁部と水平な底壁部とからなる格子枠柵を備え、該格子枠柵は法面、壁面、岸面等の保護緑化対象面の前方に設置され、前記充填材は該格子枠柵と保護緑化対象面との間に充填された態様を例示できる。
【００１０】
ここで、保護緑化対象面は、特に限定されず、次のものを例示できる。
(A1)  法面；岩盤法面、コンクリート・モルタル吹付法面、切土法面、盛土法面等を例示できる。
(A2)  壁面；擁壁やダム等のコンクリート構造物の壁面を例示できる。
(A3)  岸面；河川、人工運河等の水路、池、湖等の岸面を例示でき、岸面の状態は、現地の地山でも、既に構築されたコンクリート護岸でもよい。
これらの保護緑化対象面の水平に対する傾斜角は、特に限定されず、例えば１０度位の緩斜面から８０度位の急斜面まで対応できる。特に岸面の場合は、１５〜６０度位が好ましい。
【００１１】
強化シートは、充填材及び格子枠柵の安定化機能を果たすものであり、特に限定されないが、次のものを例示できる。
(B1)  繊維材料よりなるジオテキスタイル；編物、織布、不織布、これらの組合せ等を例示でき、好ましくは、厚手で高強度の不織布である。
(B2)  非繊維材料よりなるジオテキスタイル関連製品；押出された樹脂ストランドを網目状に融着させてなるジオネット、孔あき樹脂シートを延伸成形してなるジオグリッド等を例示でき、好ましくは、延伸成形により強度が増すジオグリッドである。ジオグリッドには一軸延伸と二軸延伸とがある。
これらの強化シートは、各段に配設してもよいが、間引いて（例えば一段おきに）配設してもよい。
【００１２】
充填材としては、特に限定されないが、次のものを例示できる。
(C1)  栗石；  栗石の寸法は、特に限定されず、大型の破砕岩石から２〜７５ｍｍ程度の礫まで含む。
(C2)  盛土材；  盛土材は土のみでもよいが、岩石が混合された土や、さらにクリンカアッシュ、フライアッシュ、アスファルト廃材等が混合されたものでもよい。盛土材は、施工現場の土が好ましいが、他所から運んだ土でもよい。
(C3)  格子枠柵寄りに充填された栗石と、保護緑化対象面寄りに充填された盛土材とからなる充填材。
【００１３】
上記(C1)又は(C3)の栗石に、植生土が混合されることが好ましい。栗石・植生土混合層を植生基盤として働かせるためである。栗石・植生土混合層を作る方法としては、スラリー状にした植生土を栗石に流し込む方法や、水きめ法等を例示できる。植生土の土は、特に限定されない。
【００１４】
掛止体を強化シートに係着する態様としては、特に限定されないが、次のものを例示できる。
(D1)  強化シートの前端部又は後端部が折り返され掛止体に被せられた態様。
(D2)  前記(D1)の強化シートが掛止体ごとさらに折り返された態様。
(D3)  前記(D1)又は(D2)において、強化シートの折り返されて多重になった部分に掛止体に寄せて別の掛止体を設けた態様。
(D4)  強化シートが該掛止体に巻き付けられた態様。
(D5)  強化シートに両端の閉じた複数本の切り込みが並列形成され、掛止体が複数本の切り込みに挿通された態様。強化シートの強度が不足する場合には、強化シートを折り返して二重部を形成し、該二重部に切り込みを形成することができる。
(D6)  前記(D5)の強化シートが掛止体ごと折り返された態様。
(D7)  保護緑化対象面の高さ方向に延びる係止部材により係着された態様。
【００１５】
強化シートの前端側及び後端側は、保護緑化対象面の高さ方向に延びる係止部材により充填材に係止されることが好ましい。また、強化シートの前端側は、保護緑化対象面の高さ方向に延びる係止部材により格子枠柵の底壁部に係止されることが好ましい。
【００１６】
係止部材としては、特に限定されないが、係止対象物同士（強化シートと、充填材、掛止体又は格子枠柵との任意の組み合わせ）の両方に係合する杭や、係止対象物同士を接合するステープルや、係止対象物同士をくくり付けるワイヤ等を例示できる。さらに、強化シートの端部を保護緑化対象面に固定することもでき、この場合の強化シートは次のアンカーと同様の作用を奏する。その固定手段は、特に限定されないが、保護緑化対象面に取り付けたアンカー等を例示できる。アンカーの形状や長さは、保護緑化対象面に応じて適宜決定できる。
【００１７】
掛止体としては、特に限定されないが、長手剛体であることが好ましい。長手剛体の形態としては、特に限定されず、中実棒や中空パイプを例示できる。中空パイプの中には、土石や水等を入れてもよく、また、その内壁面と外壁面とを連通する連通穴を備えた排水性パイプとすることもできる。長手剛体の断面形状としては、特に限定されず、円形、三角形や矩形等の多角形、星形、Ｈ字形、Ｔ字形、コ字形等を例示できる。また、長手剛体の材質としては、特に限定されず、木、樹脂、コンクリート、金属等を例示できる。材質を木にするときは、施工現場の付近で伐採された間伐材を使用することが資源の有効利用という観点から好ましいが、他所から運んできた間伐材でもよい。
【００１８】
掛止体は、保護緑化対象面の幅方向に延びる２本の横辺部と、該横辺部間を連結する連結部とを備えた枠状体であってもよい。枠状体の形態としては、特に限定されず、複数の四角枠を並列配置して枠状体としたものや、梯子状のものを例示できる。
【００１９】
掛止体は、各強化シートの略幅全体に渡る長さを備えているものが好ましいが、そうでない場合は複数個の掛止体を強化シートの幅方向（保護緑化対象面の幅方向）に一列に並べて設けることが好ましい。このとき、掛止体同士を連ねて設けることが好ましいが、適宜間隔を置いて設けるようにしてもよい。
【００２０】
格子枠柵の前壁部の前側、後側又は前後両側に植生土嚢を添設することもできる。また、植生土嚢と充填材との間であって前壁部の後側に、水の流通を止める止水部材が介在されることが好ましい。止水部材としては、特に限定されないが、次のものを例示できる。
(E1)  袋に土が入れられてなる止水土嚢。
(E2)  シートに土がくるまれてなるもの。この土に栗石を加えてもよい。
これらの止水部材に使用する土は、特に限定されない。
【００２１】
植生土嚢は、前壁部の前側、後側又は前後両側のいずれに添設されてもよいが、保護緑化対象面が河川等の流水に晒される岸面である場合には、前壁部の前側のみに添設されることが好ましい。岸面における植生土嚢は、流水侵食による流亡のおそれがあるため、植生が定着するまでの一時的なものとして捉える必要がある。いずれ流亡するものとするならば、前壁部の前側のみにあった方が、前壁部の後側の構造が壊れない点で好ましいといえる。
【００２２】
植生土嚢の袋は、特に限定されず、天然繊維製又は合成繊維製の編物、織布、不織布等よりなる袋や、合成樹脂シートよりなる袋や、生分解性材料よりなる袋を例示できる。植生土嚢は、前壁部（特にその前側）に添設しやすくするために、偏平な袋を使用して偏平に形成することが好ましい。偏平な植生土嚢は、一重に添設することも二重に添設することもできる。また、偏平な袋の内部で土が自重により下方に偏らないようにするため、偏平な袋の前面と後面とを要所でキルティング状に縫い付けることが好ましい。
【００２３】
植生土嚢に使用する土は、特に限定されないが、肥えた土が好ましく、さらに肥料、土壌改良剤、保水剤、人工土壌又はこれらの組合わせが添加されることが好ましい。
【００２４】
植生土嚢を前壁部（特にその前側）に添設する手段としては、特に限定されないが、次の態様を例示できる。
(F1)  植生土嚢の袋に設けた取付孔を、前壁部の鉄筋格子に対し直接引掛けて取り付ける態様。
(F2)  植生土嚢の袋に設けた取付孔を、前壁部の鉄筋格子に対し取付具を介して取り付ける態様。(F1)(F2)の取付孔はハトメ金具等で強化することが好ましい。
(F3)  植生土嚢を、前壁部に設けたフックに引っ掛けたり突き刺したりして取り付ける態様。
(F4)  植生土嚢を、前壁部に対しワイヤ等で結び付けて取り付ける態様。
(F5)  植生土嚢を、前壁部の後側の止水部材、充填材、川底等に対し杭を打ち込むことによって固定する態様。
【００２５】
植生土嚢に、緑化用植物の種子、苗又は挿し木が植え付けられることが好ましい。水辺に適した緑化用植物としては、アサザ、アヤメ、イグサ、オモダカ、カキツバタ、ガマ、ギボウシ、コウホネ、コガマ、カンスゲ、サギソウ、サワギキョウ、シベラス、シマカンスゲ、シマフトイ、ショウブ、スイレン、セキショウ、セリ、ハス、ハナショウブ、ヒツジグサ、フトイ、ミズバショウ、ミソハギ、トクサ、ニッコウキスゲ、ユキノシタ、ホテイアオイ、キショウブ、ウォーターポピー、ウメバチソウ、オオバナエンレイソウ、クリンソウ、コウヤボウキ、ジュズダマ、ショウジョバカマ、チョウジソウ、ドクダミ、ヌマトラノオ、ネコヤナギ、ノジギク、ベニチガヤ、ヨシ、オランダガラシ、カンガレイ、サンカクイ、ヘラオモダカ、ミズカンナ、クワイ、ザゼンソウ、マコモ、ミズトラノオ、ミツガシワ、ミクリ、ジュンサイ、ヒシ、トチカガミ、ヒルムシロ、エビモ、クロモ、セキショウモ等を例示できる。
【００２６】
緑化用植物は、根が長く（例えば３０ｃｍ以上に）成長するものであることが好ましい。緑化用植物を植生土嚢から充填材にまで侵入させて、恒久的な植生を定着させるためである。
【００２７】
また、特に岸面に関しては、格子枠柵の前壁部の前側、後側又は前後両側に添設されて充填材及び岸面の流水による洗掘を防ぐ洗掘防止部材を備えるようにすることが好ましい。
【００２８】
洗掘防止部材は、特に限定されないが、次のものを例示できる。
(G1)  上記植生土嚢
(G2)  上記止水部材
(G3)  上記緑化用シート
(G4)  金網製かごに岩石を詰めてなる蛇かご
【００２９】
また、本発明の法面、壁面、岸面等の保護緑化構造は、筒壁、半割筒壁又はチャンネル壁を有し、その一端側が略尖形に形成された植生部材を、法面の充填材に装着し又は法面の強化シートの上若しくは下に設置し又は法面の強化シートを貫通させて設置し、前記植生部材の内部又は近傍に緑化用植物の種、苗又は挿し木を植え付け又は植栽してなる構成とした。ここで、前記一端側は、緑化用植物の主根の成長を妨げないようにするために、その先端を開口させることもできる。
【００３０】
また、本発明の植生部材は、法面に配設される植生部材において、筒壁、半割筒壁又はチャンネル壁を有し、その一端側が略尖形に形成されたことを特徴としている。
【００３１】
以上において、植生部材の法面に対する装着角度又は強化シートへの設置角度は、水平乃至鉛直の範囲で決定するのが一般的であるが、水平より手前が下がる角度にしたり、鉛直より法面に平行に近づく角度にしたりすることも可能である。
【００３２】
また、植生部材の長さは、伸長方向をどの程度コントロールするかにより異なり、特に限定されないが、１００〜１０００ｍｍが一般的である。植生部材の内径は、植え付ける緑化用植物の種類により異なり、特に限定されないが、２０〜１５０ｍｍが一般的である。
【００３３】
前記筒壁、半割筒壁又はチャンネル壁に複数の透孔が形成されていることが好ましい。ここで、透孔は、植生部材の壁の略全長・全周に対し均一又は不均一に分散するように形成するのが一般的であるが、壁の一部に偏在するように形成することもできる。
【００３４】
前記筒壁、半割筒壁又はチャンネル壁が土中で次第に崩壊する材料により形成されていることが好ましい。ここで、「土中で次第に崩壊する材料」としては、紙（数ヵ月〜２年位で腐るものがよい）や、結合剤で固めた土又は砂（数ヵ月〜１年位で分解するものがよい）や、腐蝕しやすい金属又は合金（植物の成長に悪影響を与えないものがよい）や、デンプン系化合物（数ヵ月で腐るものがよい）や、蛋白質系化合物（数ヵ月で腐るものがよい）や、生分解性合成樹脂（数ヵ月で分解するものがよい）等を例示することができる。もっとも、根系があまり太く成長しない緑化用植物を植え付ける場合等には、筒壁等を塩化ビニル樹脂、ポリエチレン樹脂、ポリプロピレン樹脂、その他の崩壊しない材料で形成することもできる。
【００３５】
【発明の実施の形態】
《第一実施形態》
図１〜図９は本発明の第一実施形態に係る岩盤法面の保護緑化構造を示し、同保護緑化構造は以下の工程で構築されている。なお、岩盤法面１は例えば約６０度の急斜面である。
【００３６】
［格子枠柵の設置工程］  岩盤法面１の下端前方の用地２に必要数の格子枠柵５を横に並べて設置する。図１及び図２に示すように、格子枠柵５は傾斜した前壁部６と水平な底壁部７とを備え、製造方法の一例としては、鉄筋を縦横格子状に溶接（具体的にはアーク溶接による溶着）してなる鉄筋格子をその中央部で折曲して形成される。前壁部６の上端と底壁部７の後端との間をフック付き連結棒等で連結してもよい。格子枠柵５の前壁部６と岩盤法面１との間隔は、特に限定されず、本実施形態では例えば約２０００〜５０００ｍｍである。
【００３７】
本実施形態において使用した格子枠柵５の寸法等は次の通りであるが、例示にすぎず、この寸法等は施工現場に応じて適宜変更されるものである。
前壁部６が底壁部７となす傾斜角：    約６０度
前壁部６の傾斜長：                約６００ｍｍ
底壁部７の奥行：                  約６００ｍｍ
前壁部６及び底壁部７の左右長：  約２６００ｍｍ
鉄筋の直径：                        約１０ｍｍ
鉄筋格子の格子ピッチ：      １００〜３００ｍｍ
【００３８】
［強化シート敷設工程］  図１及び図２に示すように、岩盤法面１の下端前方の用地２から前壁部６の直ぐ後ろにかけて強化シート３を敷く。このとき、強化シート３の前端側（前壁部６側）及び後端側（岩盤法面１側）を少し余らせておく。次いで、前壁部６の後方と、岩盤法面１の前方との強化シート３上にそれぞれ岩盤法面１の幅方向に向けた必要数の掛止体としての長手剛体１２を横一列に載置する。次いで、余らせておいた強化シート３の前端側及び後端側をそれぞれ折り返して長手剛体１２に被せることにより長手剛体１２を強化シート３に係着する。この強化シート３の折り返し部分の長さを長くするほど強化シート３の引き抜きに対する抵抗力を増大させることができる。さらに、強化シート３の前端側及び後端側の折り返して２重になった部分に岩盤法面１の高さ方向に延びる係止部材としての杭１５を打ち込むことにより、強化シート３から長手剛体１２が外れないようにするとともに、強化シート３を盛土材９に係止している。強化シート３の前端側の杭１５は、格子枠柵５の底壁部７にも係合するように打ち込まれており、これにより強化シート３を格子枠柵５に係止している。
【００３９】
ここで、強化シート３に長手剛体１２を係着する態様は、例示であって特に限定されず、例えば、以下のように適宜変更することができる。なお、以下の態様において、岩盤法面１の高さ方向に延びる係止部材（以下、単に係止部材という。）は適宜変更したり省いたりすることができる。
（１）図３に示すように、強化シート３を長手剛体１２に巻き付けること。さらに、同図に示すように係止部材としての逆Ｌ字状の杭２０を使用し、その胴部で長手剛体１２の側方への移動を規制するとともに、その頭部で強化シート３が巻き付けられた長手剛体１２を押えつけ、強化シート３から長手剛体が外れないようにすることを例示できる。
【００４０】
（２）図４に示すように、図２の態様から強化シート３をさらに長手剛体１２ごと折り返すこと。さらに、図４に示すようにドリル等の穿孔手段で強化シート３の上から長手剛体１２に上下方向の貫通穴１９を設け、該貫通穴１９に係止部材としての棒状の杭１５を打ち込むことを例示できる。
【００４１】
（３）図５に示すように、図２の態様において、第一長手剛体１２ａに寄せて第二長手剛体１２ｂを載置すること。こうすると、盛土材９の土圧により両長手剛体１２ａ，１２ｂが互いに押しつけられ、両者の間を通る強化シート３を挟持するため、強化シート３から第一長手剛体１２ａがより外れ難くなる。さらに、図５に示すように係止部材としての逆Ｌ字状の杭２０を使用し、その胴部で第二長手剛体１２ｂの前方への移動を規制するとともに、その頭部で第二長手剛体１２ｂを押えつけることにより、第二長手剛体１２ｂが強化シート３から外れないようにすることを例示できる。これに加え、同図に示すように図２における係止部材として杭１５に代え逆Ｕ字状の杭２１を使用することを例示できる。
【００４２】
（４）図６に示すように、図５の態様から強化シート３をさらに長手剛体１２ａ、１２ｂごと折り返すこと。さらに、図４と同様に各長手剛体１２に貫通穴１９を設け、該貫通穴１９に係止部材としての棒状の杭１５と逆Ｕ字状の杭２１とを打ち込むことを例示できる。
【００４３】
（５）図７に示すように、図６の態様から強化シート３をさらに長手剛体１２ａ、１２ｂごと折り返すこと。これを繰り返すことにより適宜多重に巻き付けることができる。さらに、図７に示すように係止部材としての三又の杭２２の各股部で各長手剛体１２を位置決めすることを例示できる。
【００４４】
（６）図８に示すように、強化シート３の上に長手剛体１２を載置し、図４と同様に各長手剛体１２に貫通穴１９を設け、該貫通穴１９に係止部材としての棒状の杭１５を打ち込むこと。
【００４５】
長手剛体１２は、特定の形態・断面形状・材質等に限定されないが、図９に示すものを例示できる。図９（ａ）は、施工現場の付近で伐採された間伐材を示している。図９（ｂ）は、中空パイプを示している。図９（ｃ）は、内壁面と外壁面とを連通する連通穴１３を備えた排水性パイプを示しており、このパイプによれば、強化シート３の排水機能をより向上させることができる。図９（ｄ）は、四角柱を示している。図９（ｅ）は、底壁と一対の側壁とよりなるチャネル壁を備えた態様を示している。
【００４６】
強化シート３は、特定の素材に限定されず、厚手の不織布、織布、ネット等を例示できる。
【００４７】
［緑化用シート敷設工程］  図１及び図２に二点鎖線で示すように、格子枠柵５の前壁部６の後面と強化シート３の前端側の上面とに、目のやや粗い緑化用シート８を敷く。緑化用シート８の上端を少し余らせて、前壁部６の前面に一時的に垂らしておくとよい（図示略）。なお、同図に実線で示すように、緑化用シート８は格子枠柵５の底壁部７の上面に敷くこともできる。この場合には、強化シート敷設工程の前に緑化用シート敷設工程を行うことになる。緑化用シート８は、特定の素材に限定されず、織布、不織布等を例示できる。
【００４８】
［盛土材充填工程］  格子枠柵５の前壁部６の後面と岩盤法面１との間に、充填材としての施工現場の土による盛土材９を、前壁部６の上端高さの４分の１から２分の１の高さ位置まで充填する。この盛土材９を衝撃ローラー等で転圧して締め固める。この作業を二〜四段繰り返して、前壁部６の上端高さ位置まで盛土材９を充填する。余らせておいた前記緑化用シート８の上端を盛土材９の上面に被せる。最上部の鉄筋の端部を後方に折り曲げ、この緑化用シート８の上端を押さえ付けてもよい。これで一段目が形成される。
【００４９】
［多段繰り返し工程］  盛土材９の上面に対し、上記の格子枠柵の設置工程、強化シート敷設工程、緑化用シート敷設工程及び盛土材充填工程を行なって、二段目を形成する。必要に応じた数だけこの作業を下から上へ繰り返せば、所望の複数段に構築することができる。最上段の格子枠柵５では、前壁部６の縦鉄筋の上端を後側下方へ折り曲げて仕上げる（図示略）。
【００５０】
［吹付層形成工程等］  前壁部６及び前壁部６を通して現れる緑化用シート８の前面に、人工土壌及び種子を含む吹付層１６を吹付形成する。本実施形態では、厚さ約６０ｍｍの吹付層１６を形成した。
【００５１】
［植生部材装着工程］  吹付層１６及び盛土材９に多数の植生部材２５を所要の角度で打込んだり差込んだりして装着する。吹付層１６（又は盛土材９）の正面に形成された法面に植生部材２５をどのように配設するかは特に限定されないが、景観を良くするためには規則的に配設することが好ましく、例えば、交互に斜めに交差させた線の各交点の位置に規則的に配設することを例示できる。
【００５２】
植生部材２５は土中で次第に崩壊する材料としての生分解性材料により形成され、一端側が緑化用植物１８の植え付け用に開口し、他端側が吹付層１６及び盛土材９に打込んだり差込んだりして装着し易いように略尖形に形成された筒体である。植生部材２５の筒壁には略全長・全周にわたって分散する多数の透孔２７が形成されている。この透孔２７は省略することもできる。生分解性材料としては、前に例示したものを使用でき、ここではデンプンとポリエステル樹脂とのブレンドが使用されている。図示例の植生部材２５は、その略尖形の端部を除いた筒体の内径が約３０ｍｍ、その長さが約２００ｍｍである。植生部材２５の内径は、植え付ける緑化用植物１８の種類により異なり、特に限定されないが、２０〜１５０ｍｍが好ましく、２０ｍｍ〜５０ｍｍであればさらに好ましい。植生部材２５の長さは、伸長方向をどの程度コントロールするかにより異なり、特に限定されないが、１００〜１０００ｍｍが好ましく、１００〜３００ｍｍであればさらに好ましい。植生部材２５の装着角度は、水平ないし水平に対して８０度の範囲内で色々に設定できる。なお、植生部材２５は、筒壁を有するものに限定されず、半割筒壁又はチャンネル壁を有したものでもよい。
【００５３】
植生部材２５の内部の土に、緑化用植物１８を種、苗又は挿し木の状態で植え付け又は植栽する。緑化用植物１８の種類は、特に限定されず、ムクゲ、サルスベリ、ヤナギ、ドロノキ、ツツジ、ウツゲ、イヌガヤ、タイミンチク、カンノンチク、ネコヤナギ、マツ、スギ、ヒノキ、ヤシャブシ、ブナ、サルスベリ、ポプラ等を例示できる。植生部材２５の内部の深所に肥料、土壌改良剤、成形剤等の機能剤を土と混合して装填し、緑化用植物１８の成長の促進を図ることが好ましい。
【００５４】
以上の工法で構築された岩盤法面１の保護緑化構造によれば、格子枠柵５を使用したことにより、▲１▼急勾配でも施工できる、▲２▼施工に重機を必要とせず、人力作業が可能であり、▲３▼施工が簡単で、多くの人手を要しない、▲４▼施工性が良く、工期を短縮できる、▲５▼カーブした岩盤法面１にも容易に対応できる、▲６▼現場の土を盛土材９として利用できる等の多くの効果が得られる。
【００５５】
また、強化シート３の前端側及び後端側に岩盤法面１の幅方向に延びる掛止体としての長手剛体１２を係着したので、該長手剛体１２が盛土材９に面当たりして掛止する。このため、強化シート３の盛土材９からの引き抜きに対する抵抗力を増大させ、両者の一体性を向上させる。従って、盛土材９の奥行きを小さくしても、強化シート３が盛土材９を拘束してその崩れを防止する。そして、岩盤法面１の下端のすぐ前方に側溝、道路、所有地境界等があって、用地２の幅が狭い場合でも、簡単に施工することができる。また、施工後に土圧を受け続けても、盛土材９の一部が正面側にずれて動き、多数の格子枠柵５のうちの一部が正面側に押し出されて、斜面の一部がいびつになるという問題が生じ難くなる。
【００５６】
また、長手剛体１２を係着する杭１５，２０，２１又は２２は、強化シート３を盛土材９に係止する係止部材としても作用するため、強化シート３と盛土材９との一体性をさらに向上させることができる。
【００５７】
また、長手剛体１２として施工現場の付近で伐採された間伐材を使用すれば、資源の有効利用を図ることができる。
【００５８】
また、種子及び人工土壌を含む吹付層１６を吹付形成したことにより、単に緑化用シートに種子を内蔵した場合と比べて、種子の発芽性及び成長性が良く、洋芝等の種子の発芽による１次植生を短期間で達成することができる。その後は、木本植物が成長する。
【００５９】
また、植生部材２５は、先端側が略尖形に形成されているので、従来とは異なり、植生部材２５を装着するための穴を吹付層１６（又は盛土材９）の正面に形成された法面に予め設けておかなくても、吹付層１６及び盛土材９に打込んだり差込んだりして装着することができる。従って、保護緑化構造の構築作業の手間を省くことができる。
【００６０】
そして、植生部材２５によれば、緑化用植物１８の根系の周囲をなす土壌のエロージョンを防止して、根系の伸長を促すとともに、根系の伸長方向を人為的に自由にコントロールし、法面中に根を這わせる等して、法面の安定や表層土の保全に好ましい根系形態を造成することができる。
【００６１】
また、植生部材２５は多数の透孔２７を備えているので、水分や空気の流通を良くして根系の伸長を促すことができ、植生部材２５による根系の伸長の妨げをなくすこともできる。
【００６２】
さらに、植生部材２５は生分解性材料よりなり、構築後数ヶ月〜数年経過すると崩壊するため、主根が太く成長する緑化用植物１８を植え付け又は植栽した場合でも、その成長が植生部材２５により妨げられる心配が無い。
【００６３】
《第二実施形態》
次に、図１０は、第二実施形態に係る岩盤法面１の保護緑化構造を示しており、格子枠柵の設置工程と強化シート敷設工程との順を逆にするとともに、強化シート３前端側の長手剛体１２を省いた点と、係止部材としての逆Ｌ字状の杭２０で長手剛体１２を強化シート３及び盛土材９に係止した点とにおいてのみ第一実施形態と相違している。このように強化シート敷設工程を先に行っているので、格子枠柵５の底壁部７の下に強化シート３が敷かれている。
【００６４】
本実施形態によれば、第一実施形態の効果に加え、格子枠柵５の底壁部７の下に強化シート３が敷かれているので格子枠柵５がより安定するという効果を得ることができる。
【００６５】
《第三実施形態》
次に、図１１は、第三実施形態に係る岩盤法面１の保護緑化構造を示しており、各段の格子枠柵５を省くとともに、該各段の盛土材９を包むように断面略ロ字状に強化シート３を配設した点と、強化シート３と長手剛体１２との結合態様を変更した点とにおいてのみ第一実施形態と相違している。
【００６６】
強化シート３は、該各段の段底面の前端部から敷き始め、保護対象面としての岩盤法面１、段上面及び段前面を経て段底面の前端部まで断面略ロ字状に配設されている。段底面の後端部には強化シート３上に、必要数の長手剛体１２が横一列に載置されている。また、強化シート３の端部が重なっている部分の上に必要数の第一長手剛体１２ａを横一列に設けるとともに、段の前面側から強化シート３の段前面を経た端側を第一長手剛体１２ａとの間で挟む必要数の第二長手剛体１２ｂを横一列に設けている。
【００６７】
なお、強化シート３の段上面の部分には、前後方向に延びる長孔（図示略）が設けられており、該長孔から投入されることにより各段に盛土材９が充填されている。
【００６８】
本実施形態によれば、第一実施形態の効果に加え、盛土材９が強化シート３で包まれているので、盛土材９を拘束することができ、保護緑化構造の前面の歪みを防止することができる。
【００６９】
強化シート３の端部が重なっている部分の上に第一長手剛体１２ａを設けているので、盛土材９の土圧によって第一長手剛体１２ａが該重なっている部分を押圧する。このため、強化シート３の端部同士が結合され、盛土材９をしっかりと拘束することができる。
【００７０】
また、段の前面側から強化シート３の段前面を経た端側を第一長手剛体１２ａとの間で挟む第二長手剛体１２ｂを設けているので、強化シート３の段前面を経た端側及び第一長手剛体１２ａが段の前面側に外れ難くなっている。このため、盛土材９をよりしっかりと拘束することができる。
【００７１】
《第四実施形態》
次に、図１２は、第四実施形態に係る岩盤法面１の保護緑化構造を示しており、強化シート３の段底面前部における長手剛体１２と強化シート３との結合方法のみが第三実施形態と異なっている。
【００７２】
本実施形態では、強化シート３の段前面を経た端側は、段の後側に向けて強化シート３の他端側に重ねられており、該重なっている部分の上に第一長手剛体１２ａが設けられている。そして、段の正面側かつ強化シート３の上から第一長手剛体１２ａの後側に第二長手剛体１２ｂが設けられている。本実施形態によっても第三実施形態と同様の効果を得ることができる。
【００７３】
《第五実施形態》
次に、図１３は、第五実施形態に係る岩盤法面１の保護緑化構造を示しており、強化シート３の配設態様を変更した点と、第一実施形態のように吹付層１６及び盛土材９に多数の植生部材２５を装着している点とにおいてのみ第三実施形態と相違している。
【００７４】
本実施形態では、各段を包む強化シート３は、その端部同士が段上面の後端部において結合されている。具体的には、まず、強化シート３の岩盤法面１を経た端側を段上面に被せ、この上から、強化シート３の段前面を経た端側を被せる。次いで、強化シート３の両端側が重なっている部分の前側に必要数の第一長手剛体１２ａを横一列に設ける。次いで、強化シート３の段前面を経た端側をめくり上げておき、ここに該端側を第一長手剛体１２ａとの間で挟むように必要数の第二長手剛体１２ｂを横一列に設ける。こうして、強化シート３の端部同士が結合されている。
【００７５】
なお、強化シート３の端部同士を結合する態様は、適宜変更することができ、例えば次の態様を例示できる。
（１）図１４（ａ）に示す態様にすること。この態様では、まず、強化シート３の段前面を経た端側を段上面に被せ、この上から、強化シート３の岩盤法面１を経た端側を被せる。次いで、強化シート３の両端側が重なっている部分の後側に必要数の第一長手剛体１２ａを横一列に設ける。次いで、強化シート３の保護対象面１を経た端側をめくり上げておき、ここに該端側を第一長手剛体１２ａとの間で挟むように必要数の第二長手剛体１２ｂを横一列に設ける。
【００７６】
（２）図１４（ｂ）に示す態様にすること。この態様では、強化シート３の両端側を重ねるところまでは上記（１）と同様である。そして、強化シート３の両端側が重なっている部分の略中間に必要数の第一長手剛体１２ａを横一列に設ける。強化シート３の岩盤法面１を経た端側を折り返して長手剛体１２ａに被せることにより長手剛体１２ａを強化シート３に係着する。次いで、第一長手剛体１２ａの後側から第一長手剛体１２ａに寄せて第二長手剛体１２ｂを載置する。
【００７７】
（３）図１４（ｃ）に示す態様にすること。この態様では、強化シート３の両端側を上記（２）とは逆に重ね合わせている。そして、強化シート３の両端側が重なっている部分の略中間に必要数の第一長手剛体１２ａを横一列に設ける。強化シート３の段前面を経た端側を折り返して長手剛体１２ａに被せることにより長手剛体１２ａを強化シート３に係着する。次いで、第一長手剛体１２ａの前側から第一長手剛体１２ａに寄せて第二長手剛体１２ｂを載置する。
【００７８】
本実施形態によっても第三実施形態と同様の効果を得ることができる。
【００７９】
《第六実施形態》
次に、図１５は、第六実施形態に係る岸面の保護緑化構造を示しており、次の点においてのみ第二実施形態と相違している。
【００８０】
▲１▼  前記岩盤法面１に代えて河川４０の岸面４１に適用した点。
▲２▼  前記吹付層１６を省いた点。
【００８１】
▲３▼  格子枠柵５の鉄筋には、防錆用の溶融亜鉛メッキが施されているとともに、前壁部６の上端と底壁部７の後端との間をフック付き連結棒５ａで連結した点。
▲４▼  洗掘防止部材でもある植生土嚢１７を格子枠柵５の前壁部６の前側に添設固定した点。
【００８２】
▲５▼  充填材としての盛土材９が、施工現場の土とクリンカアッシュとを混合したものである点。
▲６▼  前壁部６の後側に止水土嚢１０を添設した点。
止水土嚢１０は、織布よりなる透水性の袋に盛土材９を入れてなるもので、複数個を縦に積む。該複数個を緑化用シート８でくるむと、止水土嚢１０全体が一体化して強度が増加する。このため、止水土嚢１０が個々に動いて前後にずれることがなく、前壁部６を歪ませたり格子枠柵５を崩落させたりする不具合を防止することができる。
▲７▼  保護対象面としての岸面４１に不透水性シート４を敷設した点。
【００８３】
なお、４２は水面を指しており、下部の数段の格子枠柵５が水面下に浸るように構築されている。この岸面４１の保護緑化構造は、一段目（又は一段目〜数段目）が河川の水面４２の下に浸った状態となって使用される。
【００８４】
本実施形態によれば、第二実施形態の効果に加え、岸面４１の保護（護岸）のみならず、岸面４１の緑化を図ることができる。詳しくは、植生土嚢１７が緑化用植物の初期の成長に役立ち、緑化用植物の根が植生土嚢１７から盛土材９にまで成長すれば恒久的な植生が定着する。
【００８５】
また、植生土嚢１７は洗掘防止部材でもあり、河川の流水による盛土材９及び岸面４１の洗掘・流出を防止する。
【００８６】
《第七実施形態》
次に、図１８〜図２２は、第七実施形態に係る岩盤法面１の保護緑化構造を示しており、強化シート敷設工程の前に緑化用シート敷設工程を行い、強化シート３の態様を変更するとともに、強化シート３に長手剛体１２を係着する態様を変更した点においてのみ第一実施形態と相違する。従って、第一実施形態と共通する部分については図１８〜図２２に第一実施形態と同一符号を付して説明を省略する。
【００８７】
本実施形態の強化シート３は、図１９に示すように、前端部３０と後端部３１とに、前後（同図における上下）方向に延びるとともに前後両端の閉じた４本の切り込み３２が並列形成されている。なお、強化シート３は前後対称であって前後を入れ替えて使用することができる。
【００８８】
切り込み３２の長さは特に限定されず、開いた時の外周が長手剛体１２の外周より大きければよい。切り込み３２から強化シート３の前後端縁までの距離は１００ｍｍ〜１０００ｍｍが好ましく、本実施形態では約３００ｍｍとした。切り込み３２，３２間のピッチは５００ｍｍ〜１０００ｍｍが好ましく、本実施形態では約７００ｍｍとした。また、最外側の切り込み３２から強化シート３の左右両側縁までの距離は約３００ｍｍとした。
【００８９】
強化シート３の強度が不足する場合には、図１９に二点鎖線で示すように、強化シート３の前端部３０及び後端部３１を折り返して二重部３３を形成し、該二重部３３に両枚とも貫通する切り込み３２を形成することができる。
【００９０】
本実施形態の強化シート敷設工程では、強化シート３を前端部３０及び後端部３１が各々前壁部６側及び岩盤法面１側に位置するように敷設する。ここで、隣り合う強化シート３，３（図示略）は、隙間が空かないよう適度に重ねて敷設することが好ましい。これにより、切り込み３２は岩盤法面１の幅方向に略垂直に配置される。そして、強化シート３の前後両端部３０，３１を切り込み３２を境に上下に開きながら、岩盤法面１の幅方向に向けた長手剛体１２を、強化シート３を縫うように切り込み３２に挿通する。これにより、長手剛体１２は、図２０に示すように、強化シート３の一方側縁側から他方側縁側にかけて強化シート３の上側→下側→上側→下側→上側の順に現れた状態で強化シート３に係着される。なお、長手剛体１２の両端部は最外側の切り込み３２より強化シート３の側縁側に３００ｍｍ〜５００ｍｍ突出することが好ましい。
【００９１】
本実施形態の変更例として、図２１に示すように、強化シート３の途中部に係止部材としての杭１５を打ち込むことにより、強化シート３を盛土材９に係止することができる。また、図２２に示すように、図１８の態様から強化シート３を長手剛体１２ごと折り返してもよい。さらに、図２２に示すようにドリル等の穿孔手段で強化シート３の上から長手剛体１２に上下方向の貫通穴１９を設け、該貫通穴１９に係止部材としての棒状の杭１５を打ち込んでもよい。
【００９２】
本実施形態によれば、第一実施形態の効果に加え、杭１５の有無に関係なく強化シート３から長手剛体１２が外れにくくできるという効果がある。
【００９３】
《第八実施形態》
次に、図２３〜図２５は、第八実施形態に係る岩盤法面１の保護緑化構造を示しており、掛止体として複数の四角枠４８を並列配置してなる枠状体４５を使用した点においてのみ第二実施形態と相違する。従って、第二実施形態と共通する部分については図２３〜図２５に第二実施形態と同一符号を付して説明を省略する。
【００９４】
四角枠４８は、直径６ｍｍ〜３０ｍｍの鉄筋４９を、各一対の横辺４８ａ，４８ａ及び縦辺４８ｂ，４８ｂを備えるように四角枠状に屈曲・溶接したもので、横辺４８ａ，４８ａ間には２本の補強筋４８ｃが平面略Ｖ字状に溶接されている。ここで、横辺４８ａ及び縦辺４８ｂは特定の長さに限定されず、本実施形態では各々約１２００ｍｍ及び約１０００ｍｍとした。
【００９５】
本実施形態の強化シート敷設工程では、強化シート３の後端側に、横辺４８ａを岩盤法面１の幅方向に向けた必要数の四角枠４８を横一列に並列載置する。これにより、横一列に並んだ横辺４８ａにより横辺部４６が構成され、縦辺４８ｂにより連結部４７が構成され、もって、岩盤法面１の幅方向に延びる２本の横辺部４６と、横辺部４６，４６間を連結する連結部４７とを備えた枠状体４５が構成される。
【００９６】
次いで、余らせておいた強化シート３の後端側を折り返して枠状体４５に被せることにより枠状体４５を強化シート３に係着する。そして、各横辺部４６の前方（強化シート３の前端側）に近接して逆Ｌ字状の杭２０を打ち込むことにより、枠状体４５を強化シート３及び盛土材９に係止する。なお、杭２０は特定の数に限定されず、本実施形態では、各四角枠４８について３本を使用した。また、杭２０は省略してもよい。
【００９７】
本実施形態によっても、第二実施形態と同様の効果を得ることができる。
【００９８】
なお、本発明は前記実施形態の構成に限定されず、例えば以下のように、発明の趣旨から逸脱しない範囲で適宜変更して具体化することもできる。
（１）緑化用シート８を省略すること。
【００９９】
（２）各実施形態では、下段の格子枠柵５の前壁部６に対して上段の格子枠柵５の前壁部６が後側に重なるように配置されているが、図１６に示すように、下段の格子枠柵５の前壁部６に対して上段の格子枠柵５の前壁部６が前側に重なるように配置することもできる。なお、図１６では、便宜上、格子枠柵５以外の各部の図示を省略している。
【０１００】
（３）図１７に太線で示すように、格子枠柵５を構成する一部（例えば特に強度が必要な部分）の鉄筋に、他の鉄筋より太いものを使用すること。これにより、鉄筋の一部が充填材の圧力によって正面側に湾曲変形する現象を防止することができる。
【０１０１】
（４）第一、二、六、七又は八実施形態において、植生土嚢を前壁部６の前側、後側又は前後両側に添設固定すること。
【０１０２】
【発明の効果】
以上詳述したように、請求項１〜２４の発明に係る法面、壁面、岸面等の保護緑化構造によれば、強化シートの前端側及び後端側の両方に保護緑化対象面の幅方向に延びる掛止体を係着し、該掛止体が充填材に埋設状態で面当たりして掛止する。このため、強化シートの充填材からの引き抜きに対する抵抗力を増大させ、両者の一体性を向上させる。従って、充填材の奥行きを小さくしても、強化シートが充填材を拘束してその崩れを防止する。そして、法面等の下端のすぐ前方に側溝、道路、所有地境界等があって、用地の幅が狭い場合でも、簡単に施工することができる。また、施工後に土圧を受け続けても、充填材の一部が正面側にずれて動き、斜面の一部がいびつになるという問題が生じ難くなる。同効果に加えて、請求項２２〜２４の発明に係る法面、壁面、岸面等の保護緑化構造によれば、保護緑化構造の構築作業の手間を省くことができる。
【０１０３】
請求項２５の発明に係る法面、壁面、岸面等の保護緑化構造によれば、強化シートと充填材との一体性を高めて、充填材を動かないように安定化させ、斜面の歪みを防止することができる。
【図面の簡単な説明】
【図１】本発明の第一実施形態に係る岩盤法面の保護緑化構造を示す斜視図である。
【図２】同保護緑化構造の断面図である。
【図３】同保護緑化構造の強化シートと長手剛体との結合方法の第一変更例を示す部分側面図である。
【図４】同結合方法の第二変更例を示す部分側面図である。
【図５】同結合方法の第三変更例を示す部分側面図である。
【図６】同結合方法の第四変更例を示す部分側面図である。
【図７】同結合方法の第五変更例を示す部分側面図である。
【図８】同結合方法の第六変更例を示す部分側面図である。
【図９】同長手剛体の具体例を示す斜視図である。
【図１０】本発明の第二実施形態に係る岩盤法面の保護緑化構造を示す断面図である。
【図１１】本発明の第三実施形態に係る岩盤法面の保護緑化構造を示す断面図である。
【図１２】本発明の第四実施形態に係る岩盤法面の保護緑化構造を示す部分断面図である。
【図１３】本発明の第五実施形態に係る岩盤法面の保護緑化構造を示す断面図である。
【図１４】同保護緑化構造の変更例を示す部分断面図である。
【図１５】本発明の第六実施形態に係る岸面の保護緑化構造を示す部分断面図である。
【図１６】各実施形態における格子枠柵の配置の変更例の斜視図である。
【図１７】各実施形態における格子枠柵の変更例の斜視図である。
【図１８】本発明の第七実施形態に係る岩盤法面の保護緑化構造を示す断面図である。
【図１９】同実施形態で使用する強化シートを示す平面図である。
【図２０】同実施形態の強化シートと長手剛体との結合方法を示す平面図である。
【図２１】同実施形態の変更例を示す部分側面図である。
【図２２】同実施形態の変更例を示す別の部分側面図である。
【図２３】本発明の第八実施形態に係る岩盤法面の保護緑化構造を示す断面図である。
【図２４】同実施形態の強化シートと枠状体を示す平面図である。
【図２５】同実施形態の要部拡大側面図である。
【符号の説明】
１    岩盤法面
３    強化シート
５    格子枠柵
６    前壁部
７    底壁部
８    緑化用シート
９    盛土材
１０    止水土嚢
１２    長手剛体
１５    杭
１７    植生土嚢
１８    緑化用植物
２５    植生部材
２７    透孔
３２    切り込み
４１    岸面
４５    枠状体
４６    横辺部
４７    連結部
【図１】
0004220613.tif 000002
【図２】
0004220613.tif 000003
【図３】
0004220613.tif 000004
【図４】
0004220613.tif 000005
【図５】
0004220613.tif 000006
【図６】
0004220613.tif 000007
【図７】
0004220613.tif 000008
【図８】
0004220613.tif 000009
【図９】
0004220613.tif 000010
【図１０】
0004220613.tif 000011
【図１１】
0004220613.tif 000012
【図１２】
0004220613.tif 000013
【図１３】
0004220613.tif 000014
【図１４】
0004220613.tif 000015
【図１５】
0004220613.tif 000016
【図１６】
0004220613.tif 000017
【図１７】
0004220613.tif 000018
【図１８】
0004220613.tif 000019
【図１９】
0004220613.tif 000020
【図２０】
0004220613.tif 000021
【図２１】
0004220613.tif 000022
【図２２】
0004220613.tif 000023
【図２３】
0004220613.tif 000024
【図２４】
0004220613.tif 000025
【図２５】
0004220613.tif 000026